(57)【特許請求の範囲】
【請求項１】
背凭れベースを有した背凭れ部、及び通気性の座面及びこの座面で覆われるベースを有した座部を備え、前記背凭れベースとこれを覆った前記背凭れ部の表布との間に施療子が配置されたマッサージ機本体と、
温風吹き出し口を有する温風供給装置と、
前記背凭れ部の略幅方向全体にわたって前記背凭れベースの裏面に形成されるとともに温風導入口及びこの温風導入口の軸線延長上から外れて設けられたホース接続口を有した導風チャンバ、及びこのチャンバに臨んで前記背凭れベースを貫通する温風出口を有して、前記背凭れベースと前記表布間に温風を導く背部用導風手段と、
前記温風吹き出し口と前記温風導入口とを連通して設けた温風供給ホースと、
前記座部のベースの裏面に形成された他の導風チャンバ、及びこのチャンバに臨んで前記座部のベースに形成されて温風を上向きに放出する他の温風出口を有した座部用導風手段と、
前記座部用導風手段の導風チャンバと前記ホース接続口とに渡って設けられた導風ホースと、
を具備したことを特徴とする椅子式マッサージ機。
【請求項２】
背凭れベースを有した背凭れ部、及び通気性の座面及びこの座面で覆われるベースを有した座部を備え、前記背凭れベースとこれを覆った前記背凭れ部の表布との間に施療子が配置されたマッサージ機本体と、
温風吹き出し口を有する温風供給装置と、
前記背凭れ部の略幅方向全体にわたって前記背凭れベースの裏面に形成されるとともに温風導入口とホース接続口を有した導風チャンバ、及びこのチャンバに臨んで前記背凭れベースを貫通する温風出口を有して、前記背凭れベースと前記表布間に温風を導く背部用導風手段と、
前記温風吹き出し口と前記温風導入口とを連通して設けた温風供給ホースと、
前記座部のベースの裏面に形成された他の導風チャンバ、及びこのチャンバに臨んで前記座部のベースに形成されて温風を上向きに放出する他の温風出口を有した座部用導風手段と、
前記座部用導風手段の導風チャンバと前記ホース接続口とに渡って設けられ、かつ、前記温風供給ホースの風路断面積に比較して風路断面積が小さい導風ホースと、
を具備したことを特徴とする椅子式マッサージ機。
【請求項３】
前記座部用導風手段の温風出口を、前記座部の後部外周位置に対応して設けたことを特徴とする前記請求項１又は２に記載の椅子式マッサージ機。
【請求項４】
前記背凭れ部はリクライニング動作が可能であって、前記温風供給ホース及び前記導風ホースが可撓性を有していることを特徴とする請求項１〜３の内のいずれか一項に記載の椅子式マッサージ機。
【発明の詳細な説明】
【０００１】
【発明の属する技術分野】
本発明は、例えば施療子を機械的に動かして、或いは袋体からなる施療子を膨脹・収縮させることにより、使用者の身体に刺激を与えてマッサージをする椅子式マッサージ機に関する。
【０００２】
【従来の技術】
従来のマッサージ機は、そのマッサージ効果を施療子の動作のみによって行っている。つまり、使用者の身体に対して例えば叩く、揉む、延ばすなどのマッサージ動作を与えるように施療子を機械的に動かしたり、或いは袋体からなる施療子を膨脹・収縮させるように構成されている。
【０００３】
また、マッサージ機ではないが、単なる椅子もしくはマット等において、それらの内部に線状の電気ヒータを蛇行させて組み込んだり、面状の電気ヒータを組み込んだりして、使用者を暖めるようにしたものがある。
【０００５】
【発明が解決しようとする課題】
そこで、前記の機能を得るために既存のマッサージ機の身体を受ける面側に電気ヒータを組み込むことが考えられる。しかし、使用者の身体を受ける面は、使用の都度使用者の体重が加わるところであり、体重は前記面に配置される電気ヒータに対する負荷となるから、その継続的な作用によって電気ヒータに断線などの電気的損傷を生じる恐れが考えられる。したがって、長期間にわたる使用において、使用者の身体を暖める機能を安定して保持することが困難であるという問題があるとともに、断線の場合には断線部分での発熱による影響が周囲に波及する恐れも考えられるという問題もある。
【０００６】
その上、電気ヒータはその芯をなす発熱線等のヒータ部の周囲を包んで設けられる電気絶縁被覆を有している。そして、この絶縁被覆自体の熱容量は比較的大きいので、使用者の身体を受ける面が適温になるまでに多少の時間が掛かり、迅速に適温に達して使用者の身体を暖めることができないという問題も考えられる。
【０００７】
したがって、本発明が解決しようとする課題は、迅速に適温に達して身体を暖めつつマッサージできるとともに、そのマッサージ上での電気的な諸不具合を解消できる椅子式マッサージ機を得ることにある。
【００１４】
【課題を解決するための手段】
前記課題を解決するために、本発明は、背凭れベースを有した背凭れ部、及び通気性の座面及びこの座面で覆われるベースを有した座部を備え、前記背凭れベースとこれを覆った前記背凭れ部の表布との間に施療子が配置されたマッサージ機本体と、温風吹き出し口を有する温風供給装置と、前記背凭れ部の略幅方向全体にわたって前記背凭れベースの裏面に形成されるとともに温風導入口及びこの温風導入口の軸線延長上から外れて設けられたホース接続口を有した導風チャンバ、及びこのチャンバに臨んで前記背凭れベースを貫通する温風出口を有して、前記背凭れベースと前記表布間に温風を導く背部用導風手段と、前記温風吹き出し口と前記温風導入口とを連通して設けた温風供給ホースと、前記座部のベースの裏面に形成された他の導風チャンバ、及びこのチャンバに臨んで前記座部のベースに形成されて温風を上向きに放出する他の温風出口を有した座部用導風手段と、前記座部用導風手段の導風チャンバと前記ホース接続口とに渡って設けられた導風ホースと、を具備したことを特徴とするものである。
又、前記課題を解決するために、本発明は、背凭れベースを有した背凭れ部、及び通気性の座面及びこの座面で覆われるベースを有した座部を備え、前記背凭れベースとこれを覆った前記背凭れ部の表布との間に施療子が配置されたマッサージ機本体と、温風吹き出し口を有する温風供給装置と、前記背凭れ部の略幅方向全体にわたって前記背凭れベースの裏面に形成されるとともに温風導入口とホース接続口を有した導風チャンバ、及びこのチャンバに臨んで前記背凭れベースを貫通する温風出口を有して、前記背凭れベースと前記表布間に温風を導く背部用導風手段と、前記温風吹き出し口と前記温風導入口とを連通して設けた温風供給ホースと、前記座部のベースの裏面に形成された他の導風チャンバ、及びこのチャンバに臨んで前記座部のベースに形成されて温風を上向きに放出する他の温風出口を有した座部用導風手段と、前記座部用導風手段の導風チャンバと前記ホース接続口とに渡って設けられ、かつ、前記温風供給ホースの風路断面積に比較して風路断面積が小さい導風ホースと、を具備したことを特徴とするものである。
又、本発明では、前記座部用導風手段の温風出口を、前記座部の後部外周位置に対応して設けるとよい。又、本発明では、前記背凭れ部はリクライニング動作が可能であって、前記温風供給ホース及び前記導風ホースが可撓性を有していとよい。
【００１５】
本発明において、温風供給装置は温風を発生してマッサージ機本体に供給し、導風手段は供給された温風をマッサージ機本体の使用者を受ける面側に導く。そのため、マッサージ機本体内に導入された温風が導風手段を通してマッサージ機本体の正面等の使用者を受ける面側に導かれて、マッサージ機本体の正面側等が暖められるので、前記温風の熱量で使用者を暖めながら、その状態での施療子の動作により使用者をマッサージできる。このように温風を媒体としてマッサージ機本体の使用者を受ける面側を暖めるから、即熱性に優れる。しかも、電気ヒータを用いないで温風によりマッサージ機本体の使用者を受ける面を暖めるから、使用上において繰り返し加えられる使用者の体重に拘らず、熱源の電気的損傷の恐れがなく、使用者の身体を暖める機能を安定して長期間にわたり保持できる。
【００２７】
更に、本発明においては、背部用導風手段の導風チャンバに対する温風導入口と導風ホースの入口部との位置関係により、温風供給装置から背部用導風手段の導風チャンバ内に供給された温風全体が、そのまま直接的に導風ホースに通り抜けることを極力少なくできる。それにより、背部用導風手段の導風チャンバ内に温風を滞留させて、そこから背凭れ部内への温風の導入を確実にでき、その一方で導風チャンバ内の温風の一部を導風ホースを介して座部用導風手段に導いて、座部内に導入できる。
【００２９】
又、本発明においては、温風供給ホースと導風ホースとの風路断面積の関係により、温風供給装置から背部用導風手段の導風チャンバ内に供給された温風が導風ホースを流通する際に絞られる。そのため、温風供給ホースから導風チャンバ内に供給された温風の全量が、そのまま直接的に導風ホースを通り抜けることを極力少なくできる。それにより、背部用導風手段の導風チャンバ内に温風を滞留させて、そこから背凭れ部内への温風の導入を確実にでき、その一方で導風チャンバ内の温風の一部を導風ホースを介して座部用導風手段に導いて、座部内に導入できる。
【００３２】
【発明の実施の形態】
以下、図１および図２を参照して本発明の第１参考例を説明する。図１（Ａ）（Ｂ）は椅子式マッサージ機Ａの構成を前後方向から見て示す斜視図であって、この図中１はマッサージ機本体としての椅子本体である。
【００３３】
この椅子本体１は、座部２と、この座部２の後側に配設されて座部２に対して所定の角度傾斜して設けられた背凭れ部３と、座部２の両側に位置して設けられた肘掛け部４等を備えている。座部２は支持枠５を備えている。背凭れ部３は支持枠５の後端部にリクライニング動作が可能に図示しないリクライニング機構を介して連結され、肘掛け部４は支持枠５の幅方向両端に夫々連結されている。
【００３４】
支持枠５は、座部２の座面の下方に位置して左右方向に延びる水平な第１支持板５ａを有しているとともに、後方に突出する水平な第２支持板５ｂを有している。これら両板５ａ、５ｂはいずれも支持枠５の枠部に対してねじ止めや溶接止め等により連結されている。
【００３５】
図２に示されるように背凭れ部３は、使用者の背中を受ける背凭れベース６を備え、このベース６の前面にクッション材７を配置するとともに、全体を柔軟性を有した包布８で覆って形成されている。背凭れベース６は硬質な板材等で形成されている。クッション材７は、通気性が良好でかつ緩衝性能を有し、しかも緩衝後に復元性能が高い材料、例えば目の粗いスポンジ、或いは大きめの通気孔を多数開けた目の細かいスポンジ等で形成されている。
【００３６】
包布８は背凭れベース６の前側部分を覆う表布８ａと後側部分を覆う裏布８ｂとを縫製してなるものであって、その少なくとも表布８ａは通気性を有している。この表布８ａはマッサージ機Ａの使用者を受ける正面を覆っており、その面に寄り掛かった使用者の背中が接するようになっている。包布８は、例えば袋状に縫製されていて着脱自在であり、必要により取外して洗濯できるようになっている。
【００３７】
図１（Ａ）に示されるように座部２には、その幅方向に延びる腿用施療子９および尻用施療子１０が配設されている。これら施療子９、１０は、気密性を有した軟質なシートを熱溶着等で袋状に加工して形成された袋体からなるものであって、それへの圧縮空気の給排気に伴い膨脹・収縮をして、座部２に腰掛けた使用者の下半身に、膨脹に伴う押圧を与えるとともに、収縮に伴う弛緩を起こさせ、それにより、マッサージをするものである。
【００３８】
図１（Ａ）および図２に示されるように背凭れ部３における背凭れベース６の前面には、表布８ａの裏面に対向して施療子１１〜１５が夫々背凭れ部３の幅方向に延びて配設されている。これら施療子１１〜１５も、気密性を有した軟質なシートを熱溶着等で袋状に加工して形成された袋体からなるものであって、それへの圧縮空気の給排気に伴い膨脹・収縮をして、背凭れ部３に寄り掛かった使用者の上半身の腰部、背中部および首部等に、膨脹に伴う押圧を与えるとともに、収縮に伴う弛緩を起こさせ、それにより、マッサージをするものである。そして、施療子１１〜１５は例えば前記クッション材７で覆われることなく設けられていて、その膨脹・収縮の影響をクッション材７で減衰されることなく表布８ａを介して使用者の上半身に及ぼすようになっている。
【００３９】
前記第１支持板５ａ上には座部２で覆い隠されてユニット化された圧縮空気給排気装置１６が配置されている。この装置１６は、エアーコンプレッサ、フィルタータンク、ロータリーバルブ、および制御部などを有している。エアーコンプレッサは空気を圧縮して供給するエアー供給器として設けられ、フィルタータンクはエアーコンプレッサから供給される空気の脈動を平滑にするために設けられている。ステッピングモータにより動作されるロータリーバルブは、前記各施療子９〜１５をなした袋体に個別に図示しない空気配管を介して接続されており、これら施療子９〜１５に対する空気の給排気を選択的に行わせるために設けられている。
【００４０】
各種のマッサージモードが設定された制御部は、それへの入力信号に基づいて、エアーコンプレッサの起動・停止と、指定されたマッサージモードにしたがってロータリーバルブの動作を制御して、選択された必要な数の施療子９〜１５を同期して或いは非同期に膨脹・収縮させるために設けられている。この制御部には例えばリモート式のコントローラ１７が接続され、このコントローラ１７の操作により、種々のマッサージモードの中から選択されたモードが、前記制御部に指定されるようになっている。なお、このコントローラ１７を出し入れ可能に収容する収容部１８が一方の肘掛け部４の外側面に設けられている。
【００４１】
前記椅子本体１には温風導入口２１と導風チャンバ２２とが設けられている。詳しくは、図１（Ｂ）および図２に示されるように背凭れ部３における背凭れベース６の裏面には導風チャンバプレート２３が取付けられており、これと背凭れベース６との間に導風チャンバ２２が形成されている。導風チャンバプレート２３の後面部は背凭れ部３の背面に突出されており、その部分に例えば背凭れ部３の幅方向に延びる互いに平行な複数の開口を設けることによって、これら開口からなる温風導入口２１を形成している。温風導入口２１は椅子本体１外からその内部例えば背凭れ部３内に温風を導入するためのものである。
【００４２】
そして、導風チャンバプレート２３および導風チャンバ２２は、この第１参考例では背凭れ部３に寄り掛かった使用者の腰部に対応する背凭れ部３の下部に、その幅方向略全体にわたって設けられている。しかし、これに代えて本発明では、背凭れ部３の下部以外の場所に設けてもよく、或いは背凭れ部３の下部とそれの両端部から背凭れ部３の上方に向けて夫々延びるように凹状をなして設けるなど任意形状に設けて、使用者に対して加温領域をより多く確保できるようにしてもよい。
【００４３】
背凭れベース６の導風チャンバ２２に臨んだ部分には、このベース６を厚み方向に貫通する温風出口２４が設けられている。温風出口２４は例えば多数の小孔によって形成されている。そのため、施療子１１〜１５が取付けられた背凭れベース６の前面と表布８ａとの間は、温風出口２４を介して導風チャンバ２２に連通されており、導風チャンバ２２内に導かれる温風が温風出口２４を通って背凭れベース６の前面と表布８ａとの間に導かれるようになっている。したがって、導風チャンバ２２、導風チャンバプレート２３および温風出口２４は、背凭れ部３の前面、言い換えれば、椅子本体１の使用者の身体を受ける面、つまり、マッサージ機Ａの正面側に温風を導く導風手段を形成している。
【００４４】
背凭れ部３の下方に位置された前記第２支持板５ｂ上には温風供給装置２５が配置されている。背凭れ部３の背面と対向する下方空間は通常デッドスペースとなるが、そこを利用して温風供給装置２５を配置したから、デッドスペースを有効利用できるとともに、この供給装置２５をその上方から覆った背凭れ部３で保護できる。
【００４５】
この温風供給装置２５は、図示しない少なくとも一つの電気ヒータ（熱源）と、全体の発熱量を複数段階に選択するワット数切替え手段を含む制御部と、送風機などを有している。温風供給装置２５はその制御部に前記コントローラ１７での操作によって与えられる指令に基づいて動作され、選択されたワット数で電気ヒータを発熱した状態で送風を行うことにより温風を生成して吹き出すものである。この温風供給装置２５は背凭れ部３の背面に対向する上面にグリル状の温風吹出し口２６を有している。この吹出し口２６を通って温風は前記温風導入口２１に向けて吹出されるようになっている。
【００４６】
なお、図１（Ｂ）および図２に示されるように温風導入口２１の回りに、２点鎖線で示す導風ガイド２７を設けてもよい。このガイド２７は、例えば温風導入口２１の上縁から斜め下方に突出する庇部の幅方向両端に、温風導入口２１の左右側縁に沿う三角形状などの側板部を設けてなるものである。こうした導風ガイド２７を背凭れ部３の背面に設ける場合には、温風供給装置２５から吹出される温風が、温風導入口２１の周囲に逃げる無駄を少なくして効果的に温風を温風導入口２１に吹込ませることができる点で優れている。
【００４７】
前記第１参考例において、椅子本体１に取付けられた袋体からなる各施療子９〜１５は、マッサージ機Ａの非使用状態では略偏平状をなしている。そして、コントローラ１７の操作に従い圧縮空気給排気装置１６が動作されることにより、所望のマッサージモードにしたがって膨脹・収縮を繰り返す。つまり、圧縮空気が供給される袋体からなる施療子は、それへの圧縮空気の供給にしたがって徐々に断面が楕円形状となるように膨脹し、最大膨脹時にはその断面が略円形状に膨脹され（図２中２点鎖線参照）、そして圧縮空気の排出にしたがって略偏平な状態に萎むものである。
【００４８】
それにより、各施療子９〜１５が膨脹する過程で、使用者の背中などの被治療部を徐々に押圧して、この被治療部をストレッチできるとともに、各施療子９〜１５の収縮により前記ストレッチを解放して被治療部を弛緩させることができ、こうした繰り返しによってマッサージができる。
【００４９】
そして、こうしたマッサージ動作とともに、前記マッサージ機Ａは前記コントローラ１７により温風供給装置２５を動作させて使用できる。そうすると、例えば椅子本体１外に設置された温風供給装置２５は、その内部で温風を生成し、この温風を温風吹出し口２６から背凭れ部３の背面に露出された温風導入口２１に向けて吹出す。
【００５０】
そのため、温風導入口２１を通って導風チャンバ２２に入り込んだ温風は、このチャンバ２２内に広がり温風出口２４を通って、背凭れベース６の前面とこれを覆った表布８ａとの間に吹出し、そこにある施療子１１〜１５を暖めるとともに表布８ａを暖めながら、表布８ａを前方に通過する。
【００５１】
したがって、使用者は温風により暖められた表布８ａを介して背中を暖められる。それにより、使用者の身体をリラックスさせて軟らかくした状態で、施療子１１〜１５の膨脹・収縮によるマッサージをすることができるから、マッサージ効果を高めることができる。
【００５２】
そして、以上のように椅子本体１の正面側にある表布８ａを暖めるのに温風を媒体として行うから、椅子本体１内において電気ヒータの発熱を利用する場合に比較して、絶縁被覆等による温度上昇の遅延がなく、即熱性に優れる。しかも、以上のように電気ヒータを用いないで温風により暖めるから、使用上において繰り返し加えられる使用者の体重に拘らず、熱源となる電気ヒータを有した温風供給装置２５の電気的損傷の恐れがなく、使用者の身体を暖める機能を安定して長期間にわたり保持できる。
【００５３】
しかも、前記温風により背凭れベース６の前面とこれを覆った表布８ａとの間にある袋体製の施療子１１〜１５も暖められ、これら暖められた施療子１１〜１５を使用者の背中に対し広い面積をもって押圧（これは袋体が圧縮空気の流入により膨脹することで実現される。）できるから、よりマッサージ効果を高めることができる。その上、表布８ａは暖かいだけではなく、そこを温風が通過するから、この通過した温風によっても使用者を暖めることができるので、よりマッサージ効果を高めることができるとともに、こうした温風の流動により表布８ａおよび各施療子１１〜１５を暖かい温度に保持できる。
【００５４】
さらに、背凭れ部３に導入された温風はその下部に設けた温風出口２４を通して前方に導かれるので、その位置に対応する使用者の腰部を集中して暖めることができる。そのため、使用者は身体全体を暖められたような感触を受けるものであり、結果的に、使用者を暖め易く、速くリラックスさせることができる。
【００５５】
図３〜図５は本発明の第２参考例を示している。この第２参考例は、温風導入口および温風供給装置等の構成が前記第１の実施の形態とは異なり、それ以外の構成は図３〜図５に図示されない部分を含めて図１および図２に示された前記第１参考例の椅子式マッサージ機と同一ないしは同様な構成である。そのため、図示されない構成については図１および図２をもって代用するとともに、図示される同一ないしは同様な構成部分には第１参考例と同一の符号を付して、それらの構成の説明およびそれに基づく作用効果の説明については省略するが、これら同一ないしは同様な構成部分についても第２参考例に係る椅子式マッサージ機の構成の一部をなすものである。
【００５６】
この第２参考例において、温風導入口１２１は導風チャンバプレート２３の背面から一体に突設された筒部によって形成されており、この導入口１２１は図４R>４および図５等に示されるように背凭れ部３の背面から突出されている。
【００５７】
温風供給装置１２５は、前記各袋体からなる施療子９〜１５を膨脹・収縮させる圧縮空気給排気装置と一体化されたユニットとして形成され、背凭れ部３の下方において椅子本体１の下端部から突設された一対の支持ロッド１０５の上に、背凭れ部３の背面と対向して取外し可能に設置されている。なお、この第２参考例では前記第１参考例において設けた第１、第２の支持板は省略されている。
【００５８】
そして、この装置１２５が備える温風供給部１２５ａは、図示しない少なくとも一つの電気ヒータと、全体の発熱量を複数段階に選択するワット数切替え手段を含む制御部と、送風機などを有している。温風供給装置１２５は、その制御部に前記コントローラ１７での操作によって与えられる指令に基づいて動作され、選択されたワット数で電気ヒータを発熱した状態で送風を行うことにより、温風を生成して吹き出すものである。
【００５９】
さらに、温風供給部１２５ａは例えば上面に円形状の温風吹出し口１２６を有しているとともに、この吹出し口１２６に差し込み接続された温風供給ホース１２７を有している。このホース１２７は可撓性を有したもので形成され、例えば蛇腹ホースを採用している。この温風供給ホース１２７の先端部は比較的硬質な筒状をなしていて、前記筒状の温風導入口１２１に着脱可能に嵌合して接続されるようになっている。
【００６０】
また、図４に示されるようにユニットからなる温風供給装置１２５はその周面例えば前面に空気配管のコネクタ１２８を有している。このコネクタ１２８は椅子本体１の背面部に設けられた空気配管のコネクタ１２９に着脱可能に接続され、その接続により、温風供給装置１２５内の図示しない圧縮空気給排気部で生成される圧縮空気の各施療子９〜１５に対する給排気が可能になっている。
【００６１】
温風供給装置１２５は、その底面に前記２本の支持ロッド１０５に渡って載置されるベース板１３０を有し、これを支持ロッド１０５上に位置決めして載せた状態で、コネクタ１２８を椅子本体１のコネクタ１２９に接続するとともに、温風供給ホース１２７の先端部を椅子本体１の温風導入口１２１に接続して使用される（図３参照）。なお、この状態において温風供給装置１２５は背凭れ部３の下方空間のデッドスペース内に配置されるから、スペースを有効利用できる。また、必要に応じて、前記各接続を解除して椅子本体１から温風供給装置１２５を分離できる（図４参照）。しかも、そのコネクタ１２８、１２９の着脱に際しても、ベース板１３０の曲がった両端縁が一対の支持ロッド１０５に係合して幅方向に位置決めされるので、この位置決め下において支持ロッド１０５の軸方向に沿って温風供給装置１２５をスライドさせて、容易に行うことができる。
【００６２】
このように温風供給装置１２５を椅子本体１に対して着脱できるので、この椅子式マッサージ機Ａを持ち運ぶ場合に、椅子本体１と温風供給装置１２５を個別に持ち運ぶことができる。したがって、運搬重量が軽くなって容易に運搬を行うことができる。
【００６３】
前記構成の第２参考例においても、温風で椅子本体１に座った使用者の背中を腰部を中心として暖めながら施療子９〜１５の膨脹・収縮によりマッサージするので、前記第１参考例と同じ作用を得ることができる。
【００６４】
その上、温風供給装置１２５が、その温風吹出し口１２６と背凭れ部３の温風導入口１２１とに渡って設けられる温風供給ホース１２７を有して、このホース１２７を通して背凭れ部３内に温風を導入するから、供給される温風のすべてを無駄なく確実に温風導入口１２１に導入させることができる。しかも、背凭れ部３はリクライニング動作をするが、蛇腹ホースからなる温風供給ホース１２７は可撓性があるから、温風導入口１２１への前記無駄のない温風導入機能を、リクライニング動作による背凭れ部３の位置変更に拘らずに、それに応じた温風供給ホース１２７の可撓変形により保持できる。
【００６５】
図６および図７は本発明の第３参考例を示している。この第３参考例は、マット式マッサージ機Ｂに適用した例を示している。
【００６６】
この第３参考例において、マッサージ機本体としてのマット部２０１には、図６に示すように下面側に硬質な発泡ポリウレタンフォームからなる方形な板状の台部材２１０が設けられ、この台部材２１０の上面部には図７に示されるように台部材２１０の幅方向に延びる施療子２１１ａ〜２１１ｈが取付けられている。これら施療子２１１ａ〜２１１ｆの構成は前記第１参考例において説明した施療子と同じであるので、ここでの説明は省略する。
【００６７】
施療子２１１ａ〜２１１ｈには夫々折り曲げ可能なエアーホース２１２ａ〜２１２ｈの一端が接続され、これらホース２１２ａ〜２１２ｈの他端はマット部２０１の縁部に設けた接続部２１４に接続されている。これら施療子２１１ａ〜２１１ｈおよびエアーホース２１２ａ〜２１２ｈは通気性を有する布等からなる包布２１３で覆われている。包布２１３は表布２１３ａと裏布２１３ｂとを縫製してなる。
【００６８】
施療子２１１ａ〜２１１ｈは、夫々エアーホース２１２ａ〜２１２ｈを介して後述のエアー供給部からの圧縮空気の給排気によって膨脹・収縮して、マット部２０１上の使用者の被施療部を押圧・弛緩してマッサージするものである。
【００６９】
マット部２０１の前記接続部２１４が設けられている近傍の縁部には温風導入口２１５が設けられ、この導入口２１５には温風ガイド本管２１６ａが接続されている。温風ガイド本管２１６ａからは複数本の温風ガイド分岐管２１６ｂが分岐されていて、これら本管２１６ａおよび分岐管２１６ｂは折り曲げ可能である。
【００７０】
温風ガイド本管２１６ａはマット部２０１の側縁に沿って延びて配置されている。温風ガイド分岐管２１６ｂはマット部２０１の幅方向に沿って延びて配置されているとともに、これら分岐管２１６ｂの夫々は上向きの温風噴出口２１６ｅを複数有している。温風ガイド分岐管２１６ｂの内の一つは、マット部２０１上に寝た使用者の腰部に対応させて配置することが望ましい。温風ガイド本管２１６ａおよび温風ガイド分岐管２１６ｂは、使用者の身体を受けるマット部２０１の正面側、この場合上面側に温風を導いて噴出する導風手段２１６を形成している。
【００７１】
なお、図７中２１７はマット部２０１の脚部が位置される部位に設けられた電床体であって、この電床体２１７に与えられる所定の電位によって脚部の血行を促進させるようになっている、この電床体２１７にリード線２１７ａを介して接続されたコネクタ２１７ｂは、前記接続部２１４の近傍に配置されている。
【００７２】
また、図７中２０２はマット部２０１の外部に配置される温風供給装置である。この装置２０２は、内部に圧縮空気給排気部と、温風供給部とを有している。
【００７３】
圧縮空気給排気部は、空気を圧縮して供給するエアー供給器としてのエアーコンプレッサ、エアーコンプレッサーから供給される空気の脈動を平滑にするためのフィルタータンク、ステッピングモータにより動作されるロータリーバルブ、および制御部などを有している。ロータリーバルブは、前記各施療子２１１ａ〜２１１ｈをなした袋体に対する圧縮空気の給排気を選択的に行わせるために設けられている。各種のマッサージモードが設定された制御部は、それへの入力信号に基づいて、エアーコンプレッサの起動・停止と、指定されたマッサージモードにしたがってロータリーバルブの動作を制御して、選択された必要な数の施療子２１１ａ〜２１１ｈを同期して或いは非同期に膨脹・収縮させるために設けられている。この圧縮空気給排気部はその制御部に与えられる指令にしたがって動作されるようになっている。
【００７４】
温風供給部は、少なくとも一つの電気ヒータと、全体の発熱量を複数段階に選択するワット数切替え手段を含む制御部と、送風機などを有している。この供給部は、その制御部に与えられる指令に基づいて動作され、選択されたワット数で電気ヒータを発熱した状態で送風を行うことにより、温風を生成して吹き出すものである。
【００７５】
これら圧縮空気給排気部および温風供給部の制御部には、温風供給装置２０２が有した筐体２２０の前面に設けられた操作部２２２、またはこの操作部２２２に着脱自在に取付けられるリモートコントローラ２２４の操作によって、種々のマッサージモードの中から選択されたモードが与えられるようになっている。
【００７６】
温風供給装置２０２の筐体２２０の側壁には、圧縮空気配管用コネクタ２２５、温風吹出し口としての温風配管用コネクタ２２６、および電気コネクタ２２７が夫々設けられている。コネクタ２２５には可撓性を有するエアーホース群２０３の一端の接続口２０４が着脱可能に差し込み接続され、このホース群２０３の他端の接続口２０５は前記接続部２１４に着脱可能に差し込み接続されるようになっている。この接続により、温風供給装置２０２は、その圧縮空気給排気部で生成した圧縮空気を、エアーホース群２０３を介して前記エアーホース２１２ａ〜２１２ｈを経て施療子２１１ａ〜２１１ｈに給排気することができる。
【００７７】
温風供給装置２０２は可撓性を有する温風供給ホース２０６を有している。このホース２０６の一端はコネクタ２２６に着脱可能に接続され、他端は前記温風導入口２１５に着脱可能に接続されるようになっている。この接続により、温風供給装置２０２は、その温風供給部で生成した温風を、温風供給ホース２０６を介して前記導風手段２１６に導いて、施療子２１１ａ〜２１１ｈを間において対向する台部材２１０と包布２１３の表布２１３ａとの間に送風することができる。
【００７８】
なお、前記電気コネクタ２２７にはリード線２０７の一端が差し込み接続され、この他端が前記コネクタ２１７ｂに着脱可能に接続されて、その接続を介して電床体２１７への通電がされるようになっている。
【００７９】
前記構成の第３参考例においても、温風供給装置２０２で生成した温風を、マット部２１０内に導いて、台部材２０１と包布２１３の表布２１３ａとの間に導入し、この表布２１３ａの上方に通過させるから、マット部２０１上に寝た使用者を暖めながら、施療子２１１ａ〜２１１ｈの膨脹・収縮によりマッサージするので、前記第１参考例と同様の作用を得ることができる。
【００８０】
したがって、マット部２０１に電気ヒータを埋め込むことなく、このマット部２０１の内側から温風により使用者を暖めるので、使用上において繰り返し加えられる使用者の体重に拘らず、マッサージ上での電気的な諸不具合を解消できて、使用者の身体を暖める機能を安定して長期間にわたり保持できる。しかも、使用者の身体を暖める温風で施療子２１１ａ〜２１１ｈも暖められるので、これら膨脹・収縮する施療子２１１ａ〜２１１ｈで使用者の身体の面積を押圧してエアーマッサージをするので、マッサージ効果をより向上できる。
【００８１】
さらに、温風供給装置２０２が、その温風吹出し口としてのコネクタ２２６とマット部２０１の温風導入口２１５とに渡って設けられる温風供給ホース２０６を有して、このホース２０６を通してマット部２０１内に温風を導入するから、供給される温風のすべてを無駄なく確実に温風導入口２１５に導入させることができる。
【００８２】
図８〜図１３は本発明の第１の実施の形態を示している。この第１の実施の形態は、背凭れ用および座部用の互いに連通された第１、第２の導風手段を備える点、および温風供給装置等の構成が前記第１参考例とは異なり、その以外の構成は図１および図２に示された第１参考例に係る椅子式マッサージ機と同一ないしは同様な構成である。そのため、同一ないしは同様な構成部分には第１参考例と同一の符号を付して、それらの構成の説明およびそれに基づく作用効果の説明については省略するが、これら同一ないしは同様な構成部分についても第１の実施の形態に係る椅子式マッサージ機の構成の一部をなすものである。
【００８３】
この第１の実施の形態において、背凭れ部３の一部例えば使用者の腰部に対応する下部には、背部用の導風手段が設けられ、また、座部２の一部には使用者の腰部に対応して座部用の導風手段が設けられている。
【００８４】
背部用導風手段は、既述のように背凭れベース６に形成された温風出口２４と、この出口２４と対向して背凭れベース６の裏面に取付けられた導風チャンバプレート２３と、これらプレート２３と背凭れベース６との間に形成された空間からなる導風チャンバ２２とを有して構成されている。
【００８５】
導風チャンバプレート２３は、開口された一面を含んで中空直方体構造の箱形をなしていて、背凭れ部３の幅方向に延びて設けられている。このプレート２３の一壁、例えば長手方向の一端壁には温風導入口３１１が設けられているとともに、前記一端壁とは別の壁例えば下壁の略中央部にホース接続口３１２が設けられている。したがって、ホース接続口３１２は温風導入口３１１の軸線延長上から外れて位置されている。このようにホース接続口３１２を導風チャンバプレート２３の下壁に設ける構成は、後述の導風ホースを配管する上で、このホースがプレート２３の一部を迂回する必要がなく配管長さを最小にできる点で優れている。
【００８６】
座部用導風手段は背部用導風手段と同様構成である。つまり、図１０等に示されるように座部２のベースとなる支持枠５に形成された温風出口３１３と、この出口３１３と対向して支持枠５の裏面に取付けられた導風チャンバプレート３１４と、これらプレート３１４と支持枠５との間に形成された空間からなる導風チャンバ３１５とを有して構成されている。
【００８７】
導風チャンバプレート３１４は、開口された一面を含んで中空直方体構造の箱形をなしていて、座部３の幅方向に延びて設けられている。このプレート３１４の長手方向両端部は座部２の後部の幅方向両端部、言い換えれば、座部２の後部外周位置の一部に配置されており、これら両端部の上面に位置される開口３１５ａを夫々有している。これらの開口３１５ａの真上には前記温風出口３１３が設けられている。
【００８８】
なお、図１０に示されるように座部２の座面は、通気性を有する目の粗いスポンジ等のクッション材３１７を、柔軟性および通気性を有した表布３１９で覆って形成されている。それにより、前記座面は通気性を有していて、温風出口３１３から放出される温風の上方への通過が可能になっている。
【００８９】
座部用導風手段の導風チャンバプレート３１４の側壁には、蛇腹ホース等の可撓性を有した導風ホース３１８の一端が接続されている。この導風ホース３１８の他端部からなる入口部３１８ａは、前記背部用導風手段のホース接続口３１２に接続されている。それによって、導風ホース３１８は、座部２から背凭れ部３に渡って設けられて、両導風手段の導風チャンバ２２、３１５を連通させている。
【００９０】
導風ホース３１８を図１０等に例示されるように導風チャンバプレート３１４の後壁に接続する構成は、導風ホース３１８を配管する上で、このホース３１８の配管長さを最小にできるとともに、導かれた温風を直接的に温風出口３１３に集中させて、そこから吹き出させることなく、導風チャンバプレート３１４の前壁で反射させた後に温風出口３１３から平均して吹き出すことができる点で優れている。なお、椅子本体１の背凭れ部３がリクライニング動作することなく固定して設けられたものである場合には、導風ホース３１８には硬質管を用いてもよい。
【００９１】
また、この第１の実施の形態における温風供給装置３２１は、前記各袋体からなる施療子９〜１５を膨脹・収縮させる圧縮空気給排気装置と一体化されたユニットとして形成され、背凭れ部３の下方において椅子本体１の下端部から突設された一対の支持ロッド３２２の上に、背凭れ部３の背面と対向して取外し可能に設置されている。なお、この第２の実施の形態では前記第１参考例において設けた第１、第２の支持板は省略されている。
【００９２】
この装置３２１が備える温風供給部は、図示しない少なくとも一つの電気ヒータと、全体の発熱量を複数段階に選択するワット数切替え手段を含む制御部と、送風機などを有している。この温風供給装置３２１は、その制御部に前記コントローラ１７での操作によって与えられる指令に基づいて動作され、選択されたワット数で電気ヒータを発熱した状態で送風を行うことにより、温風を生成して吹き出すものである。
【００９３】
図１２等に示されるように前記温風導入口３１１側に対応位置された温風供給装置３２１の一側面には、図示しない温風吹出し口が形成され、この吹出し口には温風供給ホース３２３が着脱可能に嵌合して差し込み接続されている。このホース３２３は可撓性を有したもので形成され、例えば蛇腹ホースが採用されている。温風供給ホース３２３の先端部３２３ａは、比較的硬質な筒状をなしていて、背部用導風手段の温風導入口３１１に嵌合して接続されている。
【００９４】
図９に示されるように温風供給装置３２１の周面例えば前面には複数本の可撓性空気配管３２４の束が導出され、その先端部にはコネクタ３２５が取付けられている。このコネクタ３２５は椅子本体１の背面部に設けられた空気配管のコネクタ３２６に着脱可能に接続され、その接続により、温風供給装置３２１内の図示しない圧縮空気給排気部で生成される圧縮空気の各施療子９〜１５に対する給排気が可能になっている。
【００９５】
この温風供給装置３２１は、その底面に前記２本の支持ロッド３２２に渡って載置されるベース板３２７を有し、これを支持ロッド３２２上に位置決めして載せた状態で、コネクタ３２５を椅子本体１のコネクタ３２６に接続するとともに、温風供給ホース３２３の先端部を椅子本体１の温風導入口３１１に接続して使用される。この温風供給装置３２１は、ベース板３２７の曲がった両端縁が一対の支持ロッド３２２に係合することにより、椅子本体１の幅方向に位置決めされるようになっている。なお、この状態において温風供給装置３２１は背凭れ部３の下方空間のデッドスペース内に配置されるから、スペースを有効利用できる。
【００９６】
また、必要に応じて、前記各接続を解除して椅子本体１から温風供給装置３２１を分離できる。このように温風供給装置３２１を椅子本体１に対して着脱できるので、この椅子式マッサージ機Ａを持ち運ぶ場合に、椅子本体１と温風供給装置３２１を個別に持ち運びことができる。したがって、運搬重量が軽くなって容易に運搬を行うことができる。
【００９７】
前記構成の第１の実施の形態においても、温風で椅子本体１に座った使用者の腰部を中心として暖めながら施療子９〜１５の膨脹・収縮によりマッサージするので、前記第１参考例と同じ作用を得ることができ、したがって、本発明の課題を解決できる。
【００９８】
しかも、その使用において使用者の腰部を背面側のみならず下方からの温風によって暖めることができる。
【００９９】
詳しくは、温風供給装置３２１で生成された温風は、温風供給ホース３２３を通って、背部用導風チャンバ２２内にその温風導入口３１１から供給される。それにより、前記第１参考例の場合と同様に、背部用導風チャンバ２２内に広がった温風は、温風出口２４を通って背凭れベース６の前面とこれを覆った表布８ａとの間に吹出し、そこにある施療子１１〜１５を暖めるとともに表布８ａを暖めながら、この表布８ａを前方に通過して、背凭れ部３に寄り掛かった背中をその腰部を中心に暖めることができる。
【０１００】
これと同時に、導風チャンバ２２内の温風の一部は導風ホース３１８からも流出して、このホース３１８により座部用の導風チャンバ３１５に導かれる。
【０１０１】
この場合、導風ホース３１８が接続されたホース接続口３１２が、温風導入口３１１の軸線上から外れて設けられているから、温風導入口３１１に導かれた温風の殆どがそのまま風の勢いでホース接続口３１２から流出することがない。このように導風チャンバ２２内に供給された温風全体が、そのまま直接的に導風ホース３１８に通り抜けることを極力少なくできるため、温風導入口３１１から導入された温風を導風チャンバ２２内に一定時間確実に滞留させて、前記温風出口２４を通しての背凭れ部３前方への温風の放出を確実ならしめることができる。
【０１０２】
そして、座部用の導風チャンバ３１５に導入された一部の温風は、この導風チャンバ３１５の開口３１５ａおよびこの真上に連通して配設された支持枠５の温風出口３１３を通って、支持枠５の上面とこれを覆った表布３１９との間に吹出し、そこにある施療子９、１０等を暖めるとともに表布３１９を暖めながら、この表布３１９を上方に通過して（なお、通過部を図１３中斜線を付して示す。）、座部２に座った使用者の尻部（図１３中２点鎖線参照）および腰部を下方から暖めることができる。
【０１０３】
しかも、開口３１５ａおよび温風出口３１３は座部２の周部に配設してあるから、これらが座部２に座った使用者の尻部により塞がれることが防止される。それにより、使用者の胴を下方から暖める機能を保証でき、尻部および腰部を主としてその周部に沿って上昇する暖気によって暖めることができる。
【０１０４】
以上のように温風供給経路が一つの温風供給装置３２１から両導風チャンバ２２、３１５に個別に設けられたものではなく、背部用導風チャンバ２２を経由させて座部用の導風チャンバ３１５に温風を導くにも拘らず、これら両チャンバ２２、３１５の双方から夫々確実に温風を背凭れ面および座面に吹き出させて、使用者の胴、特に、腰部を背面側のみならず下方からも温風によって暖めることができる。
【０１０５】
したがって、この第１の実施の形態に係る椅子式マッサージ機Ａによれば、使用者の胴、特に、腰部を速やかに暖め易く、使用者の胴をより一層リラックさせて柔らかくして、施療子９〜１５の膨脹・収縮によるマッサージをすることができる。
【０１０６】
しかも、使用者が背凭れ部３に寄り掛かった際には背中によって導風チャンバ２２の温風出口２４が塞がれ易いにも拘らず、導風チャンバ２２に連通して座部用導風チャンバ３１５を設けたから、このチャンバ３１５から座部２上への温風の放出によって、導風チャンバ２２の温風出口２４が塞がれた際における温風の逃げ道を確保できる。こうした逃げ道によって、既述のような椅子本体１上の使用者を温風で暖めるのに必要な温風の送風圧力を高く設定する必要がないから、温風供給装置３２１への温風生成上の負担を少なくできる。
【０１０７】
また、この第１の実施の形態においては、温風供給装置３２１で生成した温風を温風供給ホース３２３を通して背部用導風チャンバ２２内に導入し、ついで導風ホース３１８を介して座部用導風チャンバ３１５内に導入するから、供給される温風のすべてを無駄なく確実に背凭れ部３および座部２内に導入させることができる。しかも、背凭れ部３はリクライニング動作をするが、蛇腹ホースからなる温風供給ホース３２３および導風ホース３１８は可撓性があるから、前記無駄のない温風導入機能を、リクライニング動作による背凭れ部３の位置変更に拘らずに維持できる。
【０１０８】
図１４および図１５は本発明の第２の実施の形態を示している。この第３の実施の形態は、背部用導風チャンバに対する温風供給ホースと導風ホースとの配置と両ホースの太さの点が前記第１の実施の形態とは異なり、その以外の構成は図１４および図１５に示された第１の実施に形態に係る椅子式マッサージ機と同一ないしは同様な構成である。そのため、同一ないしは同様な構成部分には第１の実施の形態と同一の符号を付して、それらの構成の説明およびそれに基づく作用効果の説明については省略するが、これら同一ないしは同様な構成部分についても第２の実施の形態に係る椅子式マッサージ機の構成の一部をなすものである。
【０１０９】
この第２の実施の形態において、背凭れベース６に固定された横長な導風チャンバプレート２３の相対向する側面には、同一軸線Ｐ上に位置して温風導入口３１１とホース接続口３１２とが夫々相対向して設けられている。温風導入口３１１の径に比較してホース接続口３１２の径は小さく形成されている。こうした径差に応じて温風導入口３１１に接続された温風供給ホース３２３には太い蛇腹ホースが使用され、ホース接続口３１２に接続された導風ホース３１８には細い蛇腹ホースが使用され、それにより導風ホース３１８の風路断面積を温風供給ホース３２３の風路断面積よりも小さくしてある。なお、こうしたホース径の違いに代えて、両ホース３１８、３２３の径は同じでも、導風ホース３１８の一部に絞りを設けて、その風路断面積を温風供給ホース３２３の風路断面積よりも小さくしてもよい。
【０１１０】
こうした構成を備える第２の実施の形態に係る椅子式マッサージ機Ａによれば、以上のような風路断面積の差により、温風供給装置３２１から背部用導風チャンバ２２内に導かれた後、導風ホース３１８を通る一部の温風は、このホース３１８によって絞られる。そのため、温風導入口３１１とホース接続口３１２とが相対向して同一軸線Ｐ上に設けられているにも拘らず、温風供給ホース３２３から背部用導風チャンバ２２内に導かれた温風の全量が、そのまま直接的に風の勢いで座部用導風チャンバ３１５に接続された導風ホース３１８を通り抜けることを極力少なくできる。
【０１１１】
したがって、温風導入口３１１から導入された温風を導風チャンバ２２内に一定時間確実に滞留させて、温風出口２４を通しての背凭れ部３前方への温風の放出を確実ならしめることができる。なお、この点を除いて第２の実施の形態に係る椅子式マッサージ機は、前記第１の実施の形態に係る椅子式マッサージ機と同様の作用を得て、本発明の課題を解決できるものである。
【０１１２】
前記各実施の形態は夫々以上のように構成したが、これらの形態に本発明は制約されるものではない。例えば、本発明は、施療子が圧縮空気の給排気で膨脹・収縮する袋体からなるのではなく、被治療部を揉んだり叩いたりするのに適するローラ等を施療子として用い、それを適当な駆動機構で機械的に動かすことによってマッサージを行う非エアーマッサージ式のマッサージ機にも適用できる。また、本発明を前記各実施の形態のようにエアー式において実施する場合には、温風供給装置で生成される温風を、以上のように使用者を暖めるだけではなく、袋体からなる施療子に給排気して、温風供給装置の構成を簡単化してもよい。
【０１１３】
【発明の効果】
本発明は、以上説明したような形態で実施され、以下に記載されるような効果を奏する。
【０１１４】
本発明によれば、使用者を受けるマッサージ機本体の使用者を受ける面側を温風で暖めるので、迅速に適温に達して身体を暖めつつ施療子でマッサージできるとともに、マッサージ機本体に電気ヒータを埋め込むことなく温風により使用者を暖めるので、使用上において繰り返し加えられる使用者の体重に拘らず、マッサージ上での電気的な諸不具合を解消できて、使用者の身体を暖める機能を安定して長期間にわたり保持できる。
【０１１８】
更に、本発明によれば、背凭れ部および座部を温風で暖めながらマッサージする椅子式のマッサージ機において、一つの温風供給装置から背部用導風手段に至る温風供給ホースの温風導入口と、背部用導風手段から座部用導風手段に至る導風ホースの入口部との位置関係により、温風供給ホースを介して導かれる温風を背凭れ部および座部の双方に確実に導入して、これら双方から使用者の胴を暖めてマッサージすることができる。
【０１１９】
又、本発明によれば、背凭れ部および座部を温風で暖めながらマッサージする椅子式のマッサージ機において、一つの温風供給装置から背部用導風手段に至る温風供給ホースと、背部用導風手段から座部用導風手段に至る導風ホースとの風路断面積の関係により、温風供給ホースを介して導かれる温風を背凭れ部および座部の双方に確実に導入して、これら双方から使用者の胴を暖めてマッサージすることができる。
【０１２０】
請求項８の発明によれば、背凭れ部および座部を温風で暖めながらマッサージする椅子式のマッサージ機において、座部に腰掛けた使用者の尻部で座部導風手段の温風出口が塞がれることを少なくしたから、本発明の第５の課題を解決するにあたり、使用者の胴を座部側から暖める機能を保証してマッサージすることができる。
【図面の簡単な説明】
【図１】  （Ａ）は本発明の第１参考例に係る椅子式マッサージ機の構成を前側から見るとともに表布の一部を切り欠いて示す斜視図。
（Ｂ）は第１参考例に係る椅子式マッサージ機の構成を後側から見て示す斜視図。
【図２】  第１参考例に係る椅子式マッサージ機の背凭れ部の構成を示す縦断側面図。
【図３】  本発明の第２参考例に係る椅子式マッサージ機の構成を後側から見て示す斜視図。
【図４】  第２参考例に係る椅子式マッサージ機の構成をその椅子本体から温風供給装置を分離した状態で後側から見て示す斜視図。
【図５】  第２参考例に係る椅子式マッサージ機の背凭れ部の構成を示す縦断側面図。
【図６】  本発明の第３参考例に係るマット式マッサージ機のマット部の一部の構成を示す断面図。
【図７】  第３参考例に係るマット式マッサージ機全体の構成を分解して示す斜視図。
【図８】  本発明の第１の実施の形態に係る椅子式マッサージ機の構成を前側から見るとともに包布の一部を切り欠いて示す斜視図。
【図９】  第１の実施の形態に係る椅子式マッサージ機の構成をその椅子本体から温風供給装置を分離した状態で後側から見るとともに包布の一部を切り欠いて示す斜視図。
【図１０】  第１の実施の形態に係る椅子式マッサージ機の後部の構成を示す縦断側面図。
【図１１】  第１の実施の形態に係る椅子式マッサージ機の温風の流通経路回りの構成を示す斜視図。
【図１２】  第１の実施の形態に係る椅子式マッサージ機の温風の流通経路回りの構成を示す平面図。
【図１３】  第１の実施の形態に係る椅子式マッサージ機の座部の温風出口と座部に腰掛けた尻部との関係を示す平面図。
【図１４】  本発明の第１の実施の形態に係る椅子式マッサージ機の構成を前側から見るとともに包布の一部を切り欠いて示す斜視図。
【図１５】  第２の実施の形態に係る椅子式マッサージ機の背部用導風チャンバ回りの構成を示す断面図。
【符号の説明】
Ａ…椅子式マッサージ機、
１…椅子本体（マッサージ機本体）、
２…座部、
３…背凭れ部、
５…座部の支持枠（ベース）、
６…背凭れベース、
８…包布、
８ａ…包布の表布、
１１〜１５…施療子、
２２…導風チャンバ（背部用導風手段）、
２３…導風チャンバプレート（背部用導風手段）、
２４…温風出口（背部用導風手段）、
３１１…温風導入口、
３１２…ホース接続口、
３１３…温風出口（座部用導風手段）、
３１４…導風チャンバプレート（座部用導風手段）、
３１５…座部用の導風チャンバ（座部用導風手段）、
３１８…導風ホース、
３１８ａ…導風ホースの入口部、
３１７…クッション材（座部の座面）、
３１９…表布（座部の座面）、
３２１…温風供給装置、
３２３…温風供給ホース。
【図１】
0003819495.tif 000002
【図２】
0003819495.tif 000003
【図３】
0003819495.tif 000004
【図４】
0003819495.tif 000005
【図５】
0003819495.tif 000006
【図６】
0003819495.tif 000007
【図７】
0003819495.tif 000008
【図８】
0003819495.tif 000009
【図９】
0003819495.tif 000010
【図１０】
0003819495.tif 000011
【図１１】
0003819495.tif 000012
【図１２】
0003819495.tif 000013
【図１３】
0003819495.tif 000014
【図１４】
0003819495.tif 000015
【図１５】
0003819495.tif 000016